(57)【要約】【課題】安価に製作でき、かつ梱包箱と緩衝材とを別々に取り扱うことなく容易に能率よく物品を梱包することができる緩衝機能付き梱包箱を提供する。【解決手段】四角筒状の物品収納用の胴部２と、この胴部２の上端および下端のそれぞれの縁部に一体的に連接され、かつ胴部２の内側方向への折り込みが可能な複数のフラップとを具備し、胴部２の上端に連接されたいずれか１つのフラップ６ｄおよび胴部２の下端に連接されたいずれか１つのフラップ７ｂは、それぞれ断面が連続する波形状に折り曲げられた蛇腹形状をなし、胴部２内に収納される物品に重ね合わされることでその物品を保護する緩衝用のフラップで、他のフラップ６ａ，６ｂ，６ｃ，７ａ，７ｃ，７ｄは、緩衝用のフラップ６ｄ，７ｂに重ね合わされることでその緩衝用のフラップ６ｄ，７ｂを補強する補強用のフラップとなっている。【選択図】    図１
2011073757.tif 000002
【特許請求の範囲】
【請求項１】
複数の側壁部と共に上下に開口を有する筒状の物品収納用の胴部と、この胴部の前記複数の側壁部のうちの少なくとも２つの側壁部における上端の縁部、および前記複数の側壁部のうちの少なくとも２つの側壁部における上端の縁部にそれぞれ一体的に連接され、かつ前記胴部の内側方向への折り込みが可能な複数のフラップとを具備し、
前記複数の側壁部のうちの少なくとも２つの側壁部における上端の縁部に連接されたフラップのうちのいずれか一方は、断面が連続する波形状に折り曲げられた蛇腹形状をなし、前記胴部内に収納される物品の上に重ねられることでその物品を保護する緩衝用のフラップで、他方は、前記緩衝用のフラップに重ねられることでその緩衝用のフラップを補強する補強用のフラップであり、前記複数の側壁部のうちの少なくとも２つの側壁部における下端の縁部に連接されたフラップのうちのいずれか一方は、断面が連続する波形状に折り曲げられた蛇腹形状をなし、前記胴部内に収納される物品の下に重ねられることでその物品を保護する緩衝用のフラップで、他方は、前記緩衝用のフラップに重ねられることでその緩衝用のフラップを補強する補強用のフラップであることを特徴とする緩衝機能付き梱包箱。
【請求項２】
上下に開口を有する円筒状の物品収納用の胴部と、この胴部の上端および下端のそれぞれの縁部に少なくとも２つずつ一体的に連接され、かつ前記胴部の内側方向への折り込みが可能な複数のフラップとを具備し、
前記胴部の上端に連接されたフラップのうちのいずれか一方は、断面が連続する波形状に折り曲げられた蛇腹形状をなし、前記胴部内に収納される物品に対して重ね合わされることでその物品を保護する緩衝用のフラップで、他方は、前記緩衝用のフラップに重ね合わされることでその緩衝用のフラップを補強する補強用のフラップであり、前記胴部の下端に連接されたフラップのうちのいずれか一方は、断面が連続する波形状に折り曲げられた蛇腹形状をなし、前記胴部内に収納される物品に対して重ね合わされることでその物品を保護する緩衝用のフラップで、他方は、前記緩衝用のフラップに重ね合わされることでその緩衝用のフラップを補強する補強用のフラップであることを特徴とする緩衝機能付き梱包箱。
【請求項３】
前記緩衝用のフラップを波形状に折り曲げるための折り目線は、該フラップが連接された胴部の縁部に沿う方向と平行で、該フラップを平面状に伸ばしたときの前記折り目線と直交する方向の該フラップの長さが、前記胴部の前記折り目線と直交する方向における幅よりも大きいことを特徴とする請求項１または２に記載の緩衝機能付き梱包箱。
【請求項４】
前記緩衝用のフラップは、前記胴部内に収納される物品に直接接触し、前記補強用のフラップは、前記緩衝用のフラップの外側に配置されることを特徴とする請求項１乃至３のいずれか一項に記載の緩衝機能付き梱包箱。
【請求項５】
前記緩衝用のフラップには、その波形の山部に該緩衝用のフラップの折り目線方向と直角の方向の切り込みを平行に入れ、その切り込み間の山部を他の部分の山部の頂部の反対側に折り返すことで、前記物品を嵌め込むことが可能な凹部が前記フラップに対して前記収納される物品が配置される側に形成されていることを特徴とする請求項１乃至４のいずれか一項に記載の緩衝機能付き梱包箱。
【請求項６】
前記胴部の上下端の縁部に連接された各緩衝用のフラップに前記凹部が形成されていることを特徴とする請求項５に記載の緩衝機能付き梱包箱。
【請求項７】
前記凹部は、前記緩衝用のフラップに並列して並ぶ複数の凹部として形成されていることを特徴とする請求項５または６に記載の緩衝機能付き梱包箱。
【請求項８】
前記胴部の上端の縁部に連接された緩衝用のフラップにおける前記折り目線の方向と、前記胴部の下端の縁部に連接された緩衝用のフラップにおける前記折り目線の方向とが同じであって、その折り目線方向の端部の前記各フラップの波形状の側部が前記胴部が備える側壁部に当接することを特徴とする請求項１乃至７のいずれか一項に記載の緩衝機能付き梱包箱。
【請求項９】
前記各フラップの波形状の側部が当接する前記胴部の一方の側壁部と、他方の側壁部のうちの、いずれか一方の側壁部を上に向け、他方を下に向けて前記胴部を設置することを指示するための指標が施されていることを特徴とする請求項８に記載の緩衝機能付き梱包箱。
【請求項１０】
複数の側壁部と共に上下に開口を有する筒状の物品収納用の胴部と、この胴部の前記複数の側壁部のうちの少なくとも２つの側壁部における上端の縁部、および前記複数の側壁部のうちの少なくとも２つの側壁部における下端の縁部にそれぞれ一体的に連接され、かつ前記胴部の内側方向への折り込みが可能な複数のフラップとを具備し、
前記複数の側壁部のうちの少なくとも２つの側壁部における上下端のうちのいずれか一方の端部に連接されたフラップのうちのいずれか一方は、断面が連続する波形状に折り曲げられた蛇腹形状をなし、前記胴部内に収納される物品に対して重ねられることでその物品を保護する緩衝用のフラップで、他方は、前記緩衝用のフラップに重ねられることでその緩衝用のフラップを補強する補強用のフラップであることを特徴とする緩衝機能付き梱包箱。
【請求項１１】
上下に開口を有する円筒状の物品収納用の胴部と、この胴部の上端および下端のそれぞれの縁部に少なくとも２つずつ一体的に連接され、かつ前記胴部の内側方向への折り込みが可能な複数のフラップとを具備し、
前記胴部の上下端のうちのいずれか一方の端部に連接されたフラップのうちのいずれか一方は、断面が連続する波形状に折り曲げられた蛇腹形状をなし、前記胴部内に収納される物品に対して重ね合わされることでその物品を保護する緩衝用のフラップで、他方は、前記緩衝用のフラップに重ね合わされることでその緩衝用のフラップを補強する補強用のフラップであることを特徴とする緩衝機能付き梱包箱。
【請求項１２】
前記緩衝用のフラップが前記物品に対して重ねて配置された部分以外の領域に、該物品と前記梱包箱との間に配置されて、該物品を保護する緩衝材が配置されることを特徴とする請求項１０または１１に記載の緩衝機能付き梱包箱。
【請求項１３】
前記緩衝用のフラップを波形状に折り曲げるための折り目線は、該フラップが連接された胴部の縁部に沿う方向と平行で、該フラップを平面状に伸ばしたときの前記折り目線と直交する方向の該フラップの長さが、前記胴部の前記折り目線と直交する方向における幅よりも大きいことを特徴とする請求項１０乃至１２のいずれか一項に記載の緩衝器能付き梱包箱。
【請求項１４】
前記緩衝用のフラップは、前記胴部内に収納される物品に直接接触し、前記補強用のフラップは、前記緩衝用のフラップの外側に配置されることを特徴とする請求項１０乃至１３のいずれか一項に記載の緩衝機能付き梱包箱。
【請求項１５】
前記緩衝用のフラップには、その波形の山部に該緩衝用のフラップの折り目線方向と直角の方向の切り込みを平行に入れ、その切り込み間の山部を他の部分の山部の頂部の反対側に折り返すことで、前記物品を嵌め込むことが可能な凹部が前記フラップに対して前記収納される物品が配置される側に形成されていることを特徴とする請求項１０乃至１４のいずれか一項に記載の緩衝機能付き梱包箱。
【請求項１６】
前記凹部は、前記緩衝用のフラップに並列して並ぶ複数の凹部として形成されていることを特徴とする請求項１５に記載の緩衝機能付き梱包箱。
【請求項１７】
前記緩衝用のフラップは、その折り目線方向の端部の前記各フラップの波形状の側部が前記胴部が備える側壁部に当接することを特徴とする請求項１０乃至１６のいずれか一項に記載の緩衝機能付き梱包箱。
【請求項１８】
前記各フラップの波形状の側部が当接する前記胴部の一方の側壁部と、他方の側壁部のうちの、いずれか一方の側壁部を上に向け、他方を下に向けて前記胴部を設置することを指示するための指標が施されていることを特徴とする請求項１７に記載の緩衝機能付き梱包箱。
【請求項１９】
梱包箱の材料がダンボール材からなることを特徴とする請求項１乃至１８のいずれか一項に記載の緩衝機能付き梱包箱。
【請求項２０】
梱包箱の材料がダンボール用のライナー紙材からなることを特徴とする請求項１乃至１８のいずれか一項に記載の緩衝機能付き梱包箱。
【発明の詳細な説明】
【技術分野】
【０００１】
この発明は、搬送などのために物品を収納して梱包する緩衝機能付き梱包箱に関する。
【背景技術】
【０００２】
一般に工場や配送センターなどから出荷する物品は梱包箱内に収納して搬送される。梱包箱内には物品を搬送中の衝撃や振動から保護するために緩衝材が物品と併せて収納される。緩衝材としては、発泡スチロールなどの樹脂ブロック材が用いられることが多いが、近年の環境保全の高まりから環境負荷の小さい紙材が使用されるようになってきている。
【０００３】
紙材の緩衝材を使用する梱包箱の例としては、特開２００２−２５５１５７公報（特許文献１）に開示されている。特許文献１のものは、紙材を波形状に交互に折り曲げて緩衝材とし、このような緩衝材を梱包箱内に組み込んで物品の緩衝用に用いるようにしている。
【先行技術文献】
【特許文献】
【０００４】
【特許文献１】特開２００２−２５５１５７公報
【発明の概要】
【発明が解決しようとする課題】
【０００５】
特許文献１のものは、波形状の緩衝材を梱包箱とは別個のパーツとして製作し、その緩衝材と梱包箱とを別々に取り扱い、物品を梱包箱内に収納する際にその物品と併せて梱包箱内に組み込むようにしている。
【０００６】
しかしながら、緩衝材と梱包箱とが別々のパーツであると、その製作工程が複雑となり梱包箱内に緩衝材を組み入れるときに、緩衝材のサイズや組み入れの向き、位置関係を確認しながらその作業を行なわなければならないため、梱包能率が低下する難点がある。
【０００７】
この発明はこのような点に着目してなされたもので、その目的とするところは、安価に製作でき、かつ梱包箱と緩衝材とを別々に取り扱うことなく容易に能率よく物品を梱包することができる緩衝機能付き梱包箱を提供することにある。
【課題を解決するための手段】
【０００８】
このような課題を解決するために、請求項１の発明は、物品を収納する梱包箱であって、複数の側壁部と共に上下に開口を有する筒状の物品収納用の胴部と、この胴部の前記複数の側壁部のうちの少なくとも２つの側壁部における上端の縁部、および前記複数の側壁部のうちの少なくとも２つの側壁部における上端の縁部にそれぞれ一体的に連接され、かつ前記胴部の内側方向への折り込みが可能な複数のフラップとを具備し、前記複数の側壁部のうちの少なくとも２つの側壁部における上端の縁部に連接されたフラップのうちのいずれか一方は、断面が連続する波形状に折り曲げられた蛇腹形状をなし、前記胴部内に収納される物品の上に重ねられることでその物品を保護する緩衝用のフラップで、他方は、前記緩衝用のフラップに重ねられることでその緩衝用のフラップを補強する補強用のフラップであり、前記複数の側壁部のうちの少なくとも２つの側壁部における下端の縁部に連接されたフラップのうちのいずれか一方は、断面が連続する波形状に折り曲げられた蛇腹形状をなし、前記胴部内に収納される物品の下に重ねられることでその物品を保護する緩衝用のフラップで、他方は、前記緩衝用のフラップに重ねられることでその緩衝用のフラップを補強する補強用のフラップであることを特徴としている。
【０００９】
請求項２の発明は、物品を収納する梱包箱であって、上下に開口を有する円筒状の物品収納用の胴部と、この胴部の上端および下端のそれぞれの縁部に少なくとも２つずつ一体的に連接され、かつ前記胴部の内側方向への折り込みが可能な複数のフラップとを具備し、前記胴部の上端に連接されたフラップのうちのいずれか一方は、断面が連続する波形状に折り曲げられた蛇腹形状をなし、前記胴部内に収納される物品に対して重ね合わされることでその物品を保護する緩衝用のフラップで、他方は、前記緩衝用のフラップに重ね合わされることでその緩衝用のフラップを補強する補強用のフラップであり、前記胴部の下端に連接されたフラップのうちのいずれか一方は、断面が連続する波形状に折り曲げられた蛇腹形状をなし、前記胴部内に収納される物品に対して重ね合わされることでその物品を保護する緩衝用のフラップで、他方は、前記緩衝用のフラップに重ね合わされることでその緩衝用のフラップを補強する補強用のフラップであることを特徴としている。
【００１０】
請求項３の発明は、請求項１または２のいずれかに記載の梱包箱において、前記緩衝用のフラップを波形状に折り曲げるための折り目線は、該フラップが連接された胴部の縁部に沿う方向と平行で、該フラップを平面状に伸ばしたときの前記折り目線と直交する方向の該フラップの長さが、前記胴部の前記折り目線と直交する方向における幅よりも大きいことを特徴としている。
【００１１】
請求項４の発明は、請求項１乃至３のいずれか一項に記載の梱包箱において、前記緩衝用のフラップは、前記胴部内に収納される物品に直接接触し、前記補強用のフラップは、前記緩衝用のフラップの外側に配置されることを特徴としている。
【００１２】
請求項５の発明は、請求項１乃至４のいずれか一項に記載の梱包箱において、前記緩衝用のフラップには、その波形の山部に該緩衝用のフラップの折り目線方向と直角の方向の切り込みを平行に入れ、その切り込み間の山部を他の部分の山部の頂部の反対側に折り返すことで、前記物品を嵌め込むことが可能な凹部が前記フラップに対して前記収納される物品が配置される側に形成されていることを特徴としている。
【００１３】
請求項６の発明は、請求項５に記載の梱包箱において、前記胴部の上下端の縁部に連接された各緩衝用のフラップに前記凹部が形成されていることを特徴としている。
【００１４】
請求項７の発明は、請求項５または６に記載の梱包箱において、前記凹部は、前記緩衝用のフラップに並列して並ぶ複数の凹部として形成されていることを特徴としている。
【００１５】
請求項８の発明は、請求項１乃至７のいずれか一項に記載の梱包箱において、前記胴部の上端の縁部に連接された緩衝用のフラップにおける前記折り目線の方向と、前記胴部の下端の縁部に連接された緩衝用のフラップにおける前記折り目線の方向とが同じであって、その折り目線方向の端部の前記各フラップの波形状の側部が前記胴部が備える側壁部に当接することを特徴としている。
【００１６】
請求項９の発明は、請求項８に記載の梱包箱において、前記各フラップの波形状の側部が当接する前記胴部の一方の側壁部と、他方の側壁部のうちの、いずれか一方の側壁部を上に向け、他方を下に向けて前記胴部を設置することを指示するための指標が施されていることを特徴としている。
【００１７】
請求項１０の発明は、物品を収納する梱包箱において、複数の側壁部と共に上下に開口を有する筒状の物品収納用の胴部と、この胴部の前記複数の側壁部のうちの少なくとも２つの側壁部における上端の縁部、および前記複数の側壁部のうちの少なくとも２つの側壁部における下端の縁部にそれぞれ一体的に連接され、かつ前記胴部の内側方向への折り込みが可能な複数のフラップとを具備し、前記複数の側壁部のうちの少なくとも２つの側壁部における上下端のうちのいずれか一方の端部に連接されたフラップのうちのいずれか一方は、断面が連続する波形状に折り曲げられた蛇腹形状をなし、前記胴部内に収納される物品に対して重ねられることでその物品を保護する緩衝用のフラップで、他方は、前記緩衝用のフラップに重ねられることでその緩衝用のフラップを補強する補強用のフラップであることを特徴としている。
【００１８】
請求項１１の発明は、物品を収納する梱包箱において、上下に開口を有する円筒状の物品収納用の胴部と、この胴部の上端および下端のそれぞれの縁部に少なくとも２つずつ一体的に連接され、かつ前記胴部の内側方向への折り込みが可能な複数のフラップとを具備し、前記胴部の上下端のうちのいずれか一方の端部に連接されたフラップのうちのいずれか一方は、断面が連続する波形状に折り曲げられた蛇腹形状をなし、前記胴部内に収納される物品に対して重ね合わされることでその物品を保護する緩衝用のフラップで、他方は、前記緩衝用のフラップに重ね合わされることでその緩衝用のフラップを補強する補強用のフラップであることを特徴としている。
【００１９】
請求項１２の発明は、請求項１０または１１に記載の梱包箱において、前記緩衝用のフラップが前記物品に対して重ねて配置された部分以外の領域に、該物品と前記梱包箱との間に配置されて、該物品を保護する緩衝材が配置されることを特徴としている。
【００２０】
請求項１３の発明は、請求項１０乃至１２のいずれか一項に記載の梱包箱において、前記緩衝用のフラップを波形状に折り曲げるための折り目線は、該フラップが連接された胴部の縁部に沿う方向と平行で、該フラップを平面状に伸ばしたときの前記折り目線と直交する方向の該フラップの長さが、前記胴部の前記折り目線と直交する方向における幅よりも大きいことを特徴としている。
【００２１】
請求項１４の発明は、請求項１０乃至１３のいずれか一項に記載の梱包箱において、前記緩衝用のフラップは、前記胴部内に収納される物品に直接接触し、前記補強用のフラップは、前記緩衝用のフラップの外側に配置されることを特徴としている。
【００２２】
請求項１５の発明は、請求項１０乃至１４のいずれか一項に記載の梱包箱において、前記緩衝用のフラップには、その波形の山部に該緩衝用のフラップの折り目線方向と直角の方向の切り込みを平行に入れ、その切り込み間の山部を他の部分の山部の頂部の反対側に折り返すことで、前記物品を嵌め込むことが可能な凹部が前記フラップに対して前記収納される物品が配置される側に形成されていることを特徴としている。
【００２３】
請求項１６の発明は、請求項１５に記載の梱包箱において、前記凹部は、前記緩衝用のフラップに並列して並ぶ複数の凹部として形成されていることを特徴としている。
【００２４】
請求項１７の発明は、請求項１０乃至１６のいずれか一項に記載の梱包箱において、前記緩衝用のフラップは、その折り目線方向の端部の前記各フラップの波形状の側部が前記胴部が備える側壁部に当接することを特徴としている。
【００２５】
請求項１８の発明は、請求項１７に記載の梱包箱において、前記各フラップの波形状の側部が当接する前記胴部の一方の側壁部と、他方の側壁部のうちの、いずれか一方の側壁部を上に向け、他方を下に向けて前記胴部を設置することを指示するための指標が施されていることを特徴としている。
【００２６】
請求項１９の発明は、請求項１乃至１８のいずれか一項に記載の梱包箱において、梱包箱の材料がダンボール材からなることを特徴としている。
【００２７】
請求項２０の発明は、請求項１乃至１８のいずれか一項に記載の梱包箱において、梱包箱の材料がダンボール用のライナー紙材からなることを特徴としている。
【発明の効果】
【００２８】
この発明の梱包箱によれば、安価に製作でき、かつ梱包箱と緩衝材とを別々に取り扱うことなく容易に能率よく物品を梱包することができる。
【図面の簡単な説明】
【００２９】
【図１】この発明の第１の実施例に係る梱包箱を示す、斜め側方から見た斜視図。
【図２】その梱包箱を斜め上方から見た斜視図。
【図３】その梱包箱で物品を梱包したときの状態を示す斜視図。
【図４】その物品梱包状態の梱包箱を断面にして示す斜視図。
【図５】その梱包箱の展開図。
【図６】この発明の第２の実施例に係る梱包箱を示す斜視図。
【図７】この発明の第３の実施例に係る梱包箱における緩衝用のフラップの斜視図。
【図８】その緩衝用のフラップの正面図。
【図９】この発明の第４の実施例に係る梱包箱における緩衝用のフラップの斜視図。
【図１０】この発明の第５の実施例に係る梱包箱を示し、（Ａ）は梱包箱を斜め上方から見た斜視図、（Ｂ）は梱包箱を斜め下方から見た斜視図。
【図１１】その梱包箱の展開図。
【図１２】この発明の第６の実施例に係る梱包箱を示し、（Ａ）は梱包箱を斜め上方から見た斜視図、（Ｂ）は梱包箱を斜め下方から見た斜視図。
【図１３】その梱包箱の展開図。
【発明を実施するための形態】
【００３０】
［第1の実施例］
第１の実施例に係る梱包箱1は紙材で形成され、図１〜図４に示すように、四角筒状の胴部２を備えている。胴部２は、平面状の４つの側壁部３ａ，３ｂ，３ｃ，３ｄを有し、これら４つのうちの２つの側壁部３ａ，３ｃが互いに対向し、残りの２つの側壁部３ｂ，３ｄが互いに対向し、上下にそれぞれ開口４，５を有する四角の筒状に構成されている。
【００３１】
図５には梱包箱１の展開図を示してあり、４つの側壁部３ａ，３ｂ，３ｃ，３ｄは展開状態では一方向に並列して並ぶように連接されており、これら側壁部３ａ，３ｂ，３ｃ，３ｄが順次内側に直角に折り曲げられ、側壁部３ｄの上下方向縁部の接合しろ３ｄ´が側壁部３ａに糊付けやステープル止めなどの適宜な手段で接合されることで、四角筒状に組み立てられる。４つの側壁部３ａ，３ｂ，３ｃ，３ｄの横幅は例えば同じ寸法であり、したがって胴部２の上下の開口４，５は正方形となっている。
【００３２】
胴部２を構成する各側壁部３ａ，３ｂ，３ｃ，３ｄの上下端の縁部にはそれぞれ上部フラップ６ａ，６ｂ，６ｃ，６ｄおよび下部フラップ７ａ，７ｂ，７ｃ，７ｄが連接形成されている。
【００３３】
互いに対応する一対の側壁部３ａ，３ｃの上縁および下縁に連接形成された上部フラップ６ａ，６ｃおよび下部フラップ７ａ，７ｃは、その上縁および下縁に対する直角方向の長さ寸法がその側壁部３ａ，３ｃと隣接する側壁部３ｂ，３ｄの上縁および下縁の長さ寸法のほぼ１／２となっている。
【００３４】
側壁部３ｂの上縁に連接形成された上部フラップ６ｂ、および側壁部３ｄの下縁に連接形成された下部フラップ７ｄは、その上縁および下縁に対する直角方向の長さ寸法がその側壁部３ｂ，３ｄと隣接する側壁部３ａ，３ｃの幅寸法より僅かに小さい寸法となっている。
【００３５】
側壁部３ｂの下縁に連接形成された下部フラップ７ｂ、および側壁部３ｄの上縁に連接形成された上部フラップ６ｄは、それぞれ緩衝用のフラップとなっている。すなわちこれら下部フラップ７ｂおよび上部フラップ６ｄは、その紙材を波形状に交互にほぼ同じピッチで折り曲げた蛇腹形状となっている。これら下部フラップ７ｂおよび上部フラップ６ｄの波形状に折り曲げるための各折り目線（図５に示す鎖線）の方向は、側壁部３ｂ，３ｄの上下端の縁部とほぼ平行な方向であり、その波形状に基づいて緩衝用の下部フラップ７ｂおよび上部フラップ６ｄは折り目線と直角の方向に伸縮することが可能となっている。
【００３６】
そして、緩衝用の下部フラップ７ｂおよび上部フラップ６ｄは、それぞれその波形を展伸ばしてほぼ平板状としたときにおける、側壁部３ｂの下縁および側壁部３ｄの上縁に対する直角方向の長さ寸法が側壁部３ａ，３ｃの上下縁の長さ寸法より十分に大きな長さ、例えば２倍程度の長さとなっている。
【００３７】
上部フラップ６ｂと６ｄは、四角の筒状に組み立てられた胴部２が有する複数の側壁部のうちの互いに対向する一対の側壁部の上端の２つの縁部にそれぞれ一体的に連接されて互いに向き合い、上部フラップ６ａと６ｃは、胴部２が有する複数の側壁部のうちの上部フラップ６ｂと６ｄが連接されていない他の対向する一対の側壁部の上端の２つの縁部にそれぞれ一体的に連接されて互いに向き合う関係にある。
【００３８】
また、下部フラップ７ｂと７ｄは、四角の筒状に組み立てられた胴部２が有する複数の側壁部のうちの対向する一対の側壁部の下端の２つの縁部にそれぞれ一体的に連接されて互いに向き合い、下部フラップ７ａと７ｃは、胴部２が有する複数の側壁部のうちの下部フラップ７ｂと７ｄが連接されていない他の対向する一対の側壁部の下端の２つの縁部にそれぞれ一体的に連接されて互いに向き合う関係にある。
【００３９】
この梱包箱１の展開紙は、一枚の紙材を打ち抜く加工などで一体的に形成する場合、あるいは緩衝用の下部フラップ７ｂおよび上部フラップ６ｄを除く部分を一枚の紙材を打ち抜く加工などで形成し、その加工紙の側壁部３ｂの下縁と側壁部３ｄの上縁とに波形状に折り曲げることが可能な下部フラップ７ｂおよび上部フラップ６ｄを貼り付けることで連接して一体的な展開紙とする場合などであってよい。
【００４０】
この実施例では、例えば波形状の下部フラップ７ｂ、上部フラップ６ｄがダンボール用のライナー紙からなり、他の各側壁部３ａ，３ｂ，３ｃ，３ｄおよび他のフラップ６ａ，６ｂ，６ｃ，７ａ，７ｃ，７ｄがダンボール材からなっている。
【００４１】
次に、この梱包箱１を用いて物品を梱包する手順について説明する。
【００４２】
まず、図１および図２に示すように、筒状の胴部２の上下の開口４，５が開いている状態において、胴部２の下方に延びる緩衝用の下部フラップ７ｂを内側に折り込んで図４に示すように開口５の開口面内に水平に配置させる。この際、下部フラップ７ｂは波形状で伸縮が可能であるから、その伸縮の調整で下部フラップ７ｂの先端縁を開口５の内面に当接させる。
【００４３】
次に、緩衝用の下部フラップ７ｂに対応する反対側の下部フラップ７ｄを内側に折り込んで開口５の開口面に閉じ合わせて緩衝用の下部フラップ７ｂを下から支えて補強する。この際、下部フラップ７ｂは胴部２や下部フラップ７ｄに接着せずに、単に下部フラップ７ｄの上に重なる状態で保持する。
【００４４】
次に、下部フラップ７ｂ、７ｄの左右側の一対の下部フラップ７ａ，７ｃをそれぞれ内側に折り込んで開口５の開口面に閉じ合わせ、その一対の下部フラップ７ａ，７ｃの先端縁を互いに突き合わせ、その突き合わせ部分を粘着テープやステープルなどを用いる締着手段で締着固定する。これにより、胴部２の下部には、下部フラップ７ｄと一対の下部フラップ７ａ，７ｃとが重なって開口５を塞ぐ底部が構成され、この底部の上に波形状をなす緩衝用の下部フラップ７ｂが配置する状態となる。
【００４５】
次に、胴部２の上端の開口４から胴部２の内部に物品Ａ（図５参照）を挿入し、この物品Ａを緩衝用の下部フラップ７ｂに押し当てる。この際、波形状の下部フラップ７ｂは、物品に押されるために延び開こうとするが、この下部フラップ７ｂはその先端縁が胴部２の内面に当接しているから、平板状に延び開くことはなく、波形状が適正に保持される。
【００４６】
次に、胴部２の上側に延びる緩衝用の上部フラップ６ｄを内側に折り込み、開口４の開口面内に水平に配置させ、物品の上面に押し当てて重ねる。この際、上部フラップ６ｄの先端縁は開口４の内面に当接させる。
【００４７】
次に、上部フラップ６ｄに対応する反対側の上部フラップ６ｂを内側に折り曲げて開口４の開口面に閉じ合わせて緩衝用の上部フラップ６ｄの上に重ねる。なお、緩衝用の上部フラップ６ｄは胴部２や上部フラップ６ｂに接着せずに、物品Ａの上に重ねる。
【００４８】
次に、上部フラップ６ｂ，６ｄの左右側の一対の上部フラップ６ａ，６ｃを図３に示すようにそれぞれ内側に折り曲げて開口４の開口面に閉じ合わせ、その一対の下部フラップ６ａ，６ｃの先端縁を互いに突き合わせ、その突き合わせ部分を粘着テープやステープルなどを用いる締着手段で締着固定する。
【００４９】
これにより梱包の作業が終了し、胴部２内に収納された物品Ａは、図４に示すように緩衝用の上部フラップ６ｄと下部フラップ７ｂとで挟まれ、胴部２内に定置する。そして梱包した物品Ａの輸送時や積み下ろしの際などに物品Ａに衝撃や振動が加わったときには緩衝用の上部フラップ６ｄおよび下部フラップ７ｂのクッション性でその物品Ａが保護され、物品Ａの損傷や破損が防止される。
【００５０】
このように、この実施例における梱包箱１は、物品を保護するための緩衝用の上部フラップ６ｄ、下部フラップ７ｂが胴部２に一体的に連接されており、したがって別の緩衝材が不要で、緩衝材を別々に取り扱う必要がなく、このため容易に能率よく物品Ａを梱包することができる。
【００５１】
そして、梱包箱１の製作に際しては、緩衝材を別に製作する必要がないから、簡単な工程で容易に能率よく、かつ安価に製作することができ、さらに別個の緩衝材が不要であるから、その保管や組立時の管理などが容易となる。
【００５２】
なお、本実施例では、上端の緩衝用のフラップ及び補強用のフラップがそれぞれ対向する一対の側壁部上端に一体で連接され、下端の緩衝用のフラップ及び補強用のフラップがそれぞれ対向する一対の側壁部下端に一体で連接されているが、隣接する側壁部の上端又は下端に緩衝用のフラップと補強用のフラップを連接する構成でもよい。
【００５３】
［第２の実施例］
次に、この発明の第２の実施例について説明する。
【００５４】
第１の実施例における梱包箱１は、各緩衝用の上部フラップ６ｄ、下部フラップ７ｂが、胴部２の上下の開口４，５内にその開口４，５を塞ぐように配置されている。そして上部フラップ６ｄの波形の折り目線の方向と下部フラップ７ｂの波形の折り目線の方向とが同じ方向、つまり胴部２の左右方向に延び、各フラップ６ｄ，７ｂの折り目線方向の両端側の波形状の側縁が胴部２の相対向する側壁部３ａ，３ｃの内壁面に直角に当接する状態にある。
【００５５】
このように、各波形状のフラップ６ｄ，７ｂの側縁が胴部２の相対向する側壁部３ａ，３ｃに当接し、その波形の折り目線がその側壁部３ａ，３ｃの平面とほぼ直角の状態にあると、梱包箱１にその相対向する側壁部３ａ，３ｃの対向方向つまり側壁部３ａ，３ｃに対する直角の方向の外力が加わったときに、その荷重が各フラップ６ｄ，７ｂで受け止められて補強され、その方向に対する強度が特に増す。したがって、梱包後の梱包箱１を上下に積み重ねられるような場合には、各梱包箱１を相対向する側壁部３ａ，３ｃが上下方向（天地方向）を向くように横に倒して積み重ねられることが強度上有利となる。
【００５６】
そこで、この第２の実施例においては、図６に示すように、相対向する側壁部３ａ，３ｃのうちの一方の側壁部３ａの外面に例えば『上向き』という指標１０が、他方の側壁部３ｃの外面に例えば『下向き』という指標１１が印刷やラベル貼りなどの手段により設けられている。
【００５７】
このような構成によれば、梱包箱１の出荷、輸送、保管時などにおいて、作業員が各梱包箱１を上下に複数積み重ねるような場合に、前記指標１０，１１による指示に従って梱包箱１の側壁部３ａを上に向け、側壁部３ｃを下に向ける横倒しの状態で各梱包箱１を積み重ねるようになる。
【００５８】
各梱包箱１が上下に積み重ねられると、梱包箱１に上下方向の大きな荷重が加わるが、梱包箱１の側壁部３ａ，３ｃが上下方向に向く状態にあると、上述のように各フラップ６ｄ，７ｂによりその上下方向の荷重が受け止められて補強され、したがって梱包箱１の不用意な変形や破損を防止でき、安定した積み重ねられた状態を保持することができる。
【００５９】
［第３の実施例］
次に、この発明の第３実施例について図７および図８を参照して説明する。なお、この第３の実施例は、緩衝用のフラップ７ｂ，６ｄの形態が第１の実施例と異なるだけで、他の部分の構成は第１の実施例と同じであるから、その緩衝用のフラップ７ｂ，６ｄのみを図示し、他の部分の図示は省略する。
【００６０】
緩衝用のフラップ７ｂは、並列して並ぶ例えば４つの山部１５ａ，１５ｂ，１５ｃ，１５ｄを有している。ここで、蛇腹形状の緩衝用のフラップはその断面形状が、側壁部の端辺に連接された基端部から先端部にかけて、物品に対して漸次近づく第一部分と物品から漸次離れる第二部分とが交互に繰り返す周期構造をなしており、その一周期分のことを山部と称する。これら山部１５ａ，１５ｂ，１５ｃ，１５ｄのうちの中間部に位置する２つ山部１５ｂ，１５ｃに切り込み１６が施されている。これら切り込み１６は山部１５ｂ，１５ｃの長手方向両端部においてその長手方向とほぼ直角の方向、つまりフラップ７ｂの側縁とほぼ平行な方向に延び、かつ山部１５ｂ，１５ｃの頂部から該山部１５ｂ，１５ｃの高さのほぼ１／２の高さ位置にまで延びる切り込みとなっている。
【００６１】
そして両端側に切り込み１６を有する各山部１５ｂ，１５ｃの前記切り込み１６間の山部分が山部１５ｂ，１５ｃの頂部の反対側に向ってＶ状に折り返されて折り返し部１７となっており、これら折り返し部１７によりフラップ７ｂの表面の一定の領域部分に各山部１５ａ，１５ｂ，１５ｃ，１５ｄの頂部よりその下方に一段凹む凹部１８が形成された形態となっている。
【００６２】
胴部の上側の開口に閉じ合わされる緩衝用のフラップ６ｄも同様に、並列して並ぶ４つの山部２５ａ，２５ｂ，２５ｃ，２５ｄを有しており、これら山部２５ａ，２５ｂ，２５ｃ，２５ｄのうちの中間部に位置する２つ山部２５ｂ，２５ｃに切り込み２６が施され、これら切り込み２６を有する各山部２５ｂ，２５ｃの前記切り込み２６間の山部分が山部２５ｂ，２５ｃの頂部の反対側に向ってＶ状に折り返されて折り返し部２７となっており、これら折り返し部２７によりフラップ６ｄの表面の一定の領域部分に各山部２５ａ，２５ｂ，２５ｃ，２５ｄの頂部よりその下方（図では上方）に一段凹む凹部２８が形成された形態となっている。
【００６３】
すなわち、上側のフラップ６ｄは、下側のフラップ７ｂを上下反転したときと同じ形態であって、その下側のフラップ７ｂと対向するように配置され、これにより下側のフラップ７ｂの凹部１８と上側のフラップ６ｄの凹部２８とが互いに対向する状態にある。
【００６４】
この実施例においては、梱包箱の上端の開口から胴部内に物品Ａを収納する際に、物品Ａの下端部を下側のフラップ７ｂの凹部１８内に嵌め込む。そして、胴部の上端の開口に上側のフラップ６ｄを閉じ合わせるときに、上側のフラップ６ｄの凹部２８を胴部内の物品Ａの上端部に嵌め込む。この後、胴部の上部の残りのフラップを閉じ合わせ、粘着テープやステープルなどを用いる締着手段で締着することで梱包作業が終了する。
【００６５】
このような梱包構造の場合には、前記第１の実施例の場合と同様に上下の緩衝用のフラップ６ｄ，７ｂのクッション性により胴部内の物品Ａが衝撃や振動から保護される。さらに、物品Ａの上下部が上側の緩衝用のフラップ６ｄにおける凹部２８と、下側の緩衝用のフラップ７ｂにおける凹部１８とに嵌め込まれており、このため物品Ａが胴部内の定位置に確実かつ安定して保持され、また物品Ａの横方向に加わる衝撃や振動に対しての良好なクッション性が得られる。
【００６６】
［第４の実施例］
次に、この発明の第４の実施例について図９を参照して説明する。なお、この第４の実施例は、第３の実施例の場合と同様に、緩衝用のフラップ７ｂ，６ｄの形態が第１の実施例と異なるだけで、他の部分の構成は第１の実施例と同じであるから、その緩衝用のフラップ７ｂ，６ｄのみを図示し、他の部分の図示は省略する。
【００６７】
緩衝用のフラップ７ｂは、並列して並ぶ例えば４つの山部１５ａ，１５ｂ，１５ｃ，１５ｄを有しており、これら山部１５ａ，１５ｂ，１５ｃ，１５ｄのうちの中間部に位置する２つ山部１５ｂ，１５ｃに一対ずつを組とする複数の切り込み３０が施されている。これら切り込み３０は、山部１５ｂ，１５ｃの長手方向中間部においてその長手方向とほぼ直角の方向、つまりフラップ７ｂの側縁とほぼ平行な方向に延び、かつ山部１５ｂ，１５ｃの頂部から該山部１５ｂ，１５ｃの高さのほぼ１／２の高さ位置にまで延びる切り込みとなっている。
【００６８】
そして山部１５ｂ，１５ｃの各組の一対の切り込み３０間の山部分が山部１５ｂ，１５ｃの頂部の反対側に向ってそれぞれＶ状に折り返されて折り返し部３１となっており、これら折り返し部３１によりフラップ７ｂの表面に、山部１５ａ，１５ｂ，１５ｃ，１５ｄの頂部よりその下方に一段凹む細長状の凹部３２が複数並列して形成された形態となっている。
【００６９】
胴部の上側の開口に閉じ合わされる緩衝用のフラップ６ｄも同様に、並列して並ぶ４つの山部２５ａ，２５ｂ，２５ｃ，２５ｄを有しており、これら山部２５ａ，２５ｂ，２５ｃ，２５ｄのうちの中間部に位置する２つ山部２５ｂ，２５ｃに一対ずつを組とする複数の切り込み３５が施され、その各組の一対の切り込み３５間の山部分が山部１５ｂ，１５ｃの頂部の反対側に向ってそれぞれＶ状に折り返されて折り返し部３６となっており、これら折り返し部３６によりフラップ６ｄの表面に、山部１５ａ，１５ｂ，１５ｃ，１５ｄの頂部よりその下方（図では上方）に一段凹む細長状の凹部３７が複数並列して形成された形態となっている。
【００７０】
すなわち、上側のフラップ６ｄは、下側のフラップ７ｂを上下反転したときと同じ形態でその下側のフラップ７ｂと対向するように配置され、これにより下側のフラップ７ｂの凹部３２と上側のフラップ６ｄの凹部３７とが互いに対向する状態にある。
【００７１】
この実施例においては、下側のフラップ７ｂと上側のフラップ６ｄとにそれぞれ並列して並ぶ複数の細長状の凹部３２，３７が形成され、これら凹部３２，３７が互いに対向する関係にあるから、梱包箱の胴部内にパネル状の複数の物品Ａを収納し、その各物品Ａの下端部を下側のフラップ７ｂの凹部３２内に嵌め込み、上端部を上側のフラップ６ｄの凹部３７に嵌め込むことで、その複数のパネル状の物品Ａを胴部内の定位置に一定の間隔を保って確実かつ安定して保持でき、また各物品Ａの横方向に加わる衝撃や振動に対しても良好なクッション性が得られる。
【００７２】
［第５の実施例］
次に、この発明の第５の実施例について図１０および図１１を参照して説明する。
【００７３】
前記第１の実施例では、紙材からなる梱包箱１の胴部２が四角の筒状となっているが、この第５の実施例では胴部２が図１０に示すように、上下面に六角形の開口４１，４２を有する六角の筒状となっている。すなわち、胴部２は、図１１の展開図で示すように、平面状をなす６つの同じ幅の側壁部４３ａ，４３ｂ，４３ｃ，４３ｄ，４３ｅ，４３ｆを有し、これら６つ側壁部４３ａ，４３ｂ，４３ｃ，４３ｄ，４３ｅ，４３ｆが順次内側に折り曲げられ、側壁部４３ｆの縦方向縁部の接合しろ４３ｆ´が側壁部４３ａの縦方向縁部に糊付けやステープル止めなどの適宜な手段で接合されることで、六角の筒状に組み立てられている。
【００７４】
側壁部４３ｂの下縁には緩衝用のフラップ４４ｂが連接され、側壁部４３ｅの下縁には補強用のフラップ４４ｅが連接されている。また、側壁部４３ｃの上縁には補強用のフラップ４５ｃが連接され、側壁部４３ｆの上縁には緩衝用のフラップ４５ｆが連接されている。
【００７５】
補強用のフラップ４４ｅ，４５ｃは、胴部２の上下の開口４１，４２に対応する六角形に形成されている。緩衝用のフラップ４４ｂ，４５ｆは、紙材を波形状に交互にほぼ同じピッチで折り曲げた蛇腹形状に形成され、これらフラップ４４ｂ，４５ｆの波形状に折り曲げるための各折り目線（図１１に示す鎖線）の方向は側壁部４３ｂ，４３ｆの上下の縁部とほぼ平行の方向であり、その波形状に基づいてフラップ４４ｂ，４５ｆを折り目線に対する直角方向に伸縮することが可能となっている。
【００７６】
そして、緩衝用のフラップ４４ｂ，４５ｆは、それぞれその波形を展伸ばしてほぼ平板状としたときにおける形状が一方向に長い六角形で、側壁部４３ｂの下縁および側壁部４３ｆの上縁に対する直角方向の長さ寸法が、緩衝用のフラップの折り目線と直交する方向における胴部２の開口４１，４２の幅よりも十分に大きく、フラップ４４ｂ，４５ｆを波形状に折り曲げてその長さ寸法を縮小させたときに胴部２の開口４１，４２に対応するほぼ正六角形の形状となるように構成されている。
【００７７】
この梱包箱１においては、胴部２が有する複数の側壁部の下端の２つの縁部のうちの、一方の縁部に緩衝用のフラップ４４ｂが連接され、他方の縁部に補強用のフラップ４４ｅが連接されてその緩衝用のフラップ４４ｂと補強用のフラップ４４ｅとが互いに向き合い、胴部２が有する複数の側壁部の上端の２つの縁部のうち、一方の縁部に緩衝用のフラップ４５ｆが連接され、他方の縁部に補強用のフラップ４５ｃが連接されてその緩衝用のフラップ４５ｆと補強用のフラップ４５ｃとが互いに向き合う関係にある。
【００７８】
この梱包箱１を用いて物品を梱包する際には、まず胴部２の下側の緩衝用のフラップ４４ｂを波形状に折り曲げて縮小させることでほぼ正六角形の形状にし、この状態でそのフラップ４４ｂを胴部２の下端の開口４２に閉じ合わせる［図１０（Ｂ）参照］。
【００７９】
次に、胴部２の下側の補強用のフラップ４４ｅを胴部２の下端の開口４２に閉じ合わせて緩衝用のフラップ４４ｂを下から支えて補強し、その補強用のフラップ４４ｅを粘着テープやステープルなどを用いる締着手段で胴部２に締着固定する。
【００８０】
次に、胴部２の上端の開口４１から胴部２内に物品を収納し、引き続き胴部２の上側の緩衝用のフラップ４５ｆを波形状に折り曲げて縮小させることでほぼ正六角形の形状にし、この状態でそのフラップ４５ｆを胴部２の上端の開口４１に閉じ合わせて胴部２内の物品に重ねられる［図１０（Ａ）参照］。
【００８１】
次に、胴部２の上側の補強用のフラップ４５ｃを胴部２の上端の開口４１に閉じ合わせて緩衝用のフラップ４４ｂの上に重ねられて補強し、その補強用のフラップ４５ｃを粘着テープやステープルなどを用いる締着手段で胴部２に締着固定する。
【００８２】
これにより梱包の作業が終了し、胴部２内に収納された物品は、前記第１の実施例の場合と同様に、緩衝用の上側のフラップ４５ｆと下側のフラップ４４ｂとで挟まれて胴部２内に定置する。そして梱包した物品の輸送時や積み下ろしの際などに物品に衝撃や振動が加わったときには緩衝用のフラップ４５ｆ，４４ｂのクッション性でその物品が保護され、物品の損傷や破損が防止される。
【００８３】
このように、この第５の実施例においても、物品を保護するための緩衝用のフラップ４５ｆ，４４ｅが胴部２に一体的に連接されており、したがって緩衝材を別々に取り扱う必要がなく、容易に能率よく物品を梱包することができる。
【００８４】
そして、梱包箱の製作に際しては、緩衝材を別に製作する必要がないから、簡単な工程で容易に能率よく、かつ安価に製作することができ、さらに別個の緩衝材が不要であるから、その保管や組立時の管理などが容易となる。
【００８５】
［第６の実施例］
次に、この発明の第６の実施例について図１２および図１３を参照して説明する。
【００８６】
この第６の実施例では、図１２に示すように胴部２が上下面に円形の開口５１，５２を有する円形の筒状となっている。すなわち、胴部２は、図１３の展開図で示すように、円筒状に折り曲げが可能な側壁部５３を有し、この側壁部５３が円筒状に折り曲げられ、側壁部５３の一端側の縦方向縁部の接合しろ５３´が他端側の縦方向縁部に糊付けやステープル止めなどの適宜な手段により接合されることで、円形の筒状に組み立てられている。
【００８７】
胴部２が有する側壁部５３の下端縁部には補強用のフラップ５４ａと緩衝用のフラップ５４ｂが連接されている。また、胴部２が有する側壁部５３の上端縁部には緩衝用のフラップ５５ａと補強用のフラップ５５ｂが連接されている。
【００８８】
補強用のフラップ５４ａ，５５ｂは、胴部２の上下の開口５１，５２に対応する円形に形成されている。緩衝用のフラップ５４ｂ，５５ａは、紙材を波形状に交互にほぼ同じピッチで折り曲げた蛇腹形状に形成され、これらフラップ５４ｂ，５５ａの波形状に折り曲げるための各折り目線（図１３に示す鎖線）の方向は展開状態の側壁部５３の上下の縁部とほぼ平行の方向であり、その波形状の折り曲げにより折り目線に対する直角方向に伸縮することが可能となっている。
【００８９】
そして、緩衝用のフラップ５４ｂ，５５ａは、それぞれその波形を展伸ばしてほぼ平板状としたときにおける形状が一方向に長い楕円形で、側壁部５３の下縁および上縁に対する直角方向の長さ寸法が、胴部２の開口５１，５２の直径寸法より十分に大きく、フラップ５４ｂ，５５ａを波形状に折り曲げてその長さ寸法を縮小させたときに胴部２の開口５１，５２に対応するほぼ円形の形状となるように構成されている。
【００９０】
この梱包箱１を用いて物品を梱包する際には、まず胴部２の下側の緩衝用のフラップ５４ｂを波形状に折り曲げて縮小させることでほぼ円形の形状にし、この状態でそのフラップ５４ｂを胴部２の下端の開口５２に閉じ合わせる［図１２（Ｂ）参照］。
【００９１】
次に、胴部２の下側の補強用のフラップ５４ａを胴部２の下端の開口５２に閉じ合わせて緩衝用のフラップ５４ｂを下から支えて補強し、その補強用のフラップ５４ａを粘着テープやステープなどを用いる締着手段で胴部２に締着固定する。
【００９２】
次に、胴部２の上端の開口５１から胴部２内に物品を収納し、引き続き胴部２の上側の緩衝用のフラップ５５ａを波形状に折り曲げて縮小させることでほぼ円形の形状にし、この状態でそのフラップ５５ａを胴部２の上端の開口５１に閉じ合わせて胴部２内の物品に重ねる［図１２（Ａ）参照］。
【００９３】
次に、胴部２の上側の補強用のフラップ５５ｂを胴部２の上端の開口５１に閉じ合わせて緩衝用のフラップ５５ａの上に重ねて補強し、その補強用のフラップ５５ａを粘着テープやステープなどを用いる締着手段で胴部２に締着固定する。
【００９４】
これにより梱包の作業が終了し、胴部２内に収納された物品は、前記第１の実施例の場合と同様に、緩衝用の上側のフラップ５５ａと下側のフラップ５４ｂとで挟まれて胴部２内に定置する。そして梱包した物品の輸送時や積み下ろしの際などに物品に衝撃や振動が加わったときには緩衝用のフラップ５５ａ，５４ｂのクッション性でその物品が保護され、物品の損傷や破損が防止される。
【００９５】
このように、この第６の実施例においても、物品を保護するための緩衝用のフラップ５５ａ，５４ｂが胴部２に一体的に連接されており、したがって緩衝材を別々に取り扱う必要がなく、容易に能率よく物品を梱包することができる。
【００９６】
そして、梱包箱の製作に際しては、緩衝材を別に製作する必要がないから、簡単な工程で容易に能率よく、かつ安価に製作することができ、さらに別個の緩衝材が不要であるから、その保管や組立時の管理などが容易となる。
【００９７】
なお、この発明は前記各実施例の形態に限定されるものではなく、種々構成を変更して実施することが可能である。例えば、前記第１の実施例では、緩衝用のフラップ６ｄ，７ｂを胴部２内の物品Ａの上面および下面に直接接触してその上面および下面に重なり合うようにしたが、補強用のフラップ６ｂ，７ｄを緩衝用のフラップ６ｄ，７ｂよりも先に折り込んで胴部２内の物品Ａの上面および下面に接触させ、その補強用のフラップ６ｂ，７ｄの外面に緩衝用のフラップ６ｄ，７ｂを重ねられるような構成、あるいは補強用のフラップ６ｂ，７ｄを胴部２内の物品Ａの上面および下面に接触させ、その補強用のフラップ６ｂ，７ｄの外面に他の補強用のフラップ６ａ，６ｃ，７ａ，７ｃを重ねられて，その補強用のフラップ６ａ，６ｃ，７ａ，７ｃの外面に緩衝用のフラップ６ｄ，７ｂを重ねられるような構成とすることも可能である。
【００９８】
また、前記各実施例では、胴部２の上端の縁部の１つのフラップと、胴部２の下端の縁部の１つのフラップとの両方をそれぞれ波形状の緩衝用のフラップとしたが、そのいずれか一方のフラップのみを波形状の緩衝用のフラップとし、他方を平板状のフラップとする場合であってもよい。そのとき、前記緩衝用のフラップが前記物品に対して重ねて配置された部分以外の領域に、該物品と梱包箱とにそれぞれ当接した状態で該物品と梱包箱との間に配置されて、該物品を保護する緩衝材を配置してもよい。
【００９９】
さらに、前記各実施例では、緩衝用のフラップの全長区間を波形状としてあるが、一部の区間は平板状で、残りの区間が波形状である形態であってもよい。そして、緩衝用のフラップの波形状に折り曲げる折り目線がそれぞれ平行である場合に限らず、非平行である場合であってもよい。
【０１００】
また、波形状に形成する緩衝用のフラップをダンボール用のライナー紙とし、他の胴部や補強用のフラップをダンボール材とする場合、あるいは波形状に形成する緩衝用のフラップをダンボール材とし、他の胴部や補強用のフラップをダンボール用のライナー紙、さらには梱包箱の全体をダンボール材や、ダンボール用のライナー紙とすることも可能である。波形状に形成する緩衝用のフラップをダンボール材とする場合には、その緩衝用のフラップを波形状に折り曲げるための折り目線の方向が、ダンボール材の段の長手方向とほぼ直角となるようにすることが好ましい。
【符号の説明】
【０１０１】
1…梱包箱
２…胴部
３ａ．３ｂ．３ｃ．３ｄ…側壁部
４．５…開口
６ａ．６ｂ．６ｃ．６ｄ…フラップ
７ａ．７ｂ．７ｃ．７ｄ…フラップ
１０．１１…指標
１５ａ．１５ｂ．１５ｃ．１５ｄ…山部
２５ａ．２５ｂ．２５ｃ．２５ｄ…山部
１８．２８．３２．３７…凹部
４１．４２…開口
４３ａ．４３ｂ．４３ｃ．４３ｄ．４３ｅ．４３ｆ…側壁部
４４ｂ．４４ｅ…フラップ
４５ｃ．４５ｆ…フラップ
５１．５２…開口
５３…側壁部
５４ａ．５４ｂ…フラップ
５５ａ．５５ｂ…フラップ
【図１】
2011073757.tif 000003
【図２】
2011073757.tif 000004
【図３】
2011073757.tif 000005
【図４】
2011073757.tif 000006
【図５】
2011073757.tif 000007
【図６】
2011073757.tif 000008
【図７】
2011073757.tif 000009
【図８】
2011073757.tif 000010
【図９】
2011073757.tif 000011
【図１０】
2011073757.tif 000012
【図１１】
2011073757.tif 000013
【図１２】
2011073757.tif 000014
【図１３】
2011073757.tif 000015